(57)【要約】【課題】  温浴施設等の水処理設備において、多浴槽（水槽）を１台の濾過装置で処理するときに用いられる連通管、水位計をなくして衛生的なシステム設計を作り上げると共に、オーバー回収槽を用いずに表面水を効率的に濾過するシステムを提供する。【解決手段】  開口部とスリット又は水中のオリフィスを持った表面吸込バランス金物又は同様の原理の装置と循環システムを用いて、各浴槽（水槽）の水位管理を容易にし、表面水を対流濾過方式（コンベクション・システム）を用いて効率的な処理を可能とした事を特徴とする。【選択図】  図１
2005329381.tif 000002
【特許請求の範囲】
【請求項１】
温浴施設や各種水処理施設に於いて、連通管やオーバー循環水を用いずに複数の浴槽（或いは他の水槽）を１台の循環装置又は濾過装置で処理する際に、吐出吸込の流量差によって生じる浴槽同士の水位のアンバランスを解消する為に、必要個数の表面水を吸込む器具（金物等）や、又は同様の表面水回収機能を各浴槽側にもたせて、表面水吸込配管として１本の配管にまとめて、互いの表面水の流入によってバランスさせる事を特徴とする水位制御システム。
【請求項２】
前記記述の表面水を吸込む器具に於いて、例えば表面水流入用の横長四角等の開口部の下側に、小さな縦長の溝又はスリット等の切り込みを合わせてＴ字状に設け、水中にある縦の切り込みから一定の流量が常時流れ込む事を可能として、渦を生じさせずエアーを吸わないように工夫した装置、又は同様の原理によってオーバー回収用のドレイン下部配管にタッピングを設け、水中に設置した流量調整付の器具（金物等）からの一定のオリフィス流入量を取り入れながらエアーの混入を抑える同様の仕組みを持ち、各浴槽（水槽）の表面水で水位バランスを保つシステム。
【請求項３】
前記記述の水表面を吸込む器具からの流入水を集めた配管を本来の下部吸込循環系統の各々の分岐部とは別配管で、その吸込管ヘッダー部（又は分岐部）より下方、即ちポンプ側の吸込配管に接続し、循環の分岐によって生じる各浴槽のアンバランスを解消しながら、ポンプの負圧で表面水を一定に吸い込む事によって流れやすくし、表面に浮いた汚れをいち早く濾過できるようにした水位バランス調整兼用の表面水濾過システム。
【請求項４】
前記記述の連通管なしの２つ以上の水槽（浴槽）の水位のアンバランスを解消しようとするシステムにおいて、循環吸込分岐の各枝管に各々開閉の為の電動弁回路を設け、水槽（浴槽）に設置した水位検知器で水位の著しい低下を感知すると、当該系統の吸込管の電動弁を締めて少流量のバイパス回路の吸込流量に絞る事によって、対応する水槽（浴槽）の水位を押し上げ、いち早く自動的に水位バランスを保つ事を可能としたシステム。
【請求項５】
前記記述の表面水を吸込む器具（金物）の上部を水位より上に露出させてバランスを重視して設置する方法と全体を水没させて濾過を重視して設置する方法において、流入量のコントロールを可能とする為に器具（金物）開口部及び下部のスリットや溝の形状をスライドさせて変えられるようにした装置、又は一部を板状の材質のもので覆い被せて開口部の形状や開口比率を変えられる事を特徴とした装置。
【請求項６】
前記記述の表面吸込バランス器具（金物等）を用いて、オーバー循環システムに代わる表面循環システムを構築し、水位バランスをとると共に、浴槽壁面の下部から吐出した濾過（循環）水で、その一部又は全量を背面の表面吸込バランス金物で吸い込む対流濾過方式をなし、攪拌掻き混ざり型の循環濾過と比して、濾過効率をアップせしめるシステムとその装置。
【請求項７】
吸込側配管に接続された当該配管の洗浄方法について、水位を落とした薬品洗浄時の殺菌循環では前記記述の表面吸込バランス器具（金物等）に水が廻らない点を考慮し、濾過ポンプと濾過タンクの間から分岐した吐出配管の表面水回収配管につなぎ込んだバルブを開ける事によって洗浄水を逆流させて、当該表面吸込バランス器具（金物等）から吐出させてクリーニング可能としたシステム。
【請求項８】
前記記述の表面循環バランス器具等の材質について、一般的なＳＵＳ製やプラスチック製の他、温泉等の水質に対応する為に、接液部をＦＲＰでコーティングしたもの、チタンで加工した金物等を使用するものとする。特にチタン製のものは、表面を酸化処理して抗菌力を持つものとする。
【請求項９】
浴槽（水槽）の水位を検知する水位計の設置方法に於いて、アナログ又はデジタルの温度計と水位検知器を一体となし、６Ｐ以上の電極を取り付けられる双方の保護の為のケーシングを共有した装置。
【発明の詳細な説明】
【発明の詳細な説明】
【産業上の利用分野】
【０００１】  本発明は、プール・浴槽その他の水処理設備において、複数の浴槽（水槽）を１台の濾過（循環）ポンプで処理する際に生じる各浴槽水位のアンバランスを、連通管やオーバーフロー水を用いずに表面水で制御する手法と、表面水を循環させて濾過循環効率をアップするシステムに関する。
【背景技術】
【０００２】  一般に、最近の温浴施設の濾過（循環）装置においては、イニシャルコスト削減の為に、２浴槽（特に男女の同一系統など）を１つの濾過装置でまかなう手法が多く取り入れられている。時には３〜４浴槽を連通管でつなぎ、１台で制御・濾過する事もあるが、循環していない太く長い連通管と水位計配管が死水となるのであり、衛生的に問題となっている。【０００３】  多浴槽１濾過とした場合の吐出、吸込アンバランスをオーバー水でカバーしようとする方式もある。オーバー水をいったんオーバーフロー回収槽で受け、オーバーフローポンプで濾過循環の吸込側などへ接続した場合、オーバーフローポンプが送り出した分だけがオーバー側へ循環する方法である。各浴槽の水位のバラつきよりオーバー循環量が多ければ、水位は満水を保つ事ができる。小浴槽を複数管理する際に用いられる手法である。汚れ分は表面部に多い事から、オーバー水を回収する方法は濾過の効率も良いとされている。【０００４】  ところが、オーバーフローを回収する系統は汚れが酷くレジオネラ症等の温床となるため、東京都は条例を定めて基本的にオーバーフロー方式を禁止、厚生労働省もやむを得ず設置する場合は躯体で水槽を作らず、６面点検のできるパネルタンク等とし、殺菌洗浄を定期的に行なうよう指導している。  このため多浴槽の水位制御方式は、連通管方式が現在も主流となっている。
【発明が解決しようとする課題】
【０００５】  温泉を始めとする温浴施設の衛生管理については社会問題化しつつあり、特に管理の悪い施設ではアメーバ等が作り出すバイオフィルムや寄生するレジオネラ菌等の生物が循環システムの中で培養され、非常に危険な状況となっている。
【０００６】  循環濾過システムのうち、複数の浴槽を１台の濾過装置で制御しようとする際に用いられる連通管や水位計配管内の水は殆んど動く事がなく、循環水でない為に殺菌剤も及ばず風呂水の換水の際に排水できない下鳥居配管となっていることが多い。仮にドレイン口を設けている例であっても、地下のピット内や操作が困難な場所に設置されている事が多く、これらの溜まり水はよどみ、細菌やアメーバ等の棲み家となっている。
【０００７】  連通管を使用せずに、オーバー回収系統へ多くの循環水を流す事によって多浴槽の水位のアンバランスを回収する事ができるが、オーバー水の回収系統の汚れが酷く、管理上の問題点から全国的にオーバー水の回収が禁止される方向である。
【０００８】  本発明では、死水配管となる連通管を使用せずに多浴槽の水位バランスを取る方法と、オーバー循環をせずに表面水の効率的な濾過をなす方法を提供する。
【課題を解決するための手段】
【０００９】  １台の濾過装置で多浴槽の水位バランスを制御する為に、簡便な方法として表面水を吸い込む浴槽容量に応じた器具（金物等）を設置する。以下、箱状の表面吸込バランス金物を設置した例で述べるものとする。水面上部ぎりぎりの水中上部に設置された金物からの配管が各浴槽からヘッダーに集められ、そこから濾過循環配管の吸込分岐ヘッダーのあとに設けられた独立した濾過吸込側タッピングへと接続される。
【００１０】  浴槽底部同士を配管で下鳥居状に結んで作られた連通管は各水槽の水頭差でレベルを保つ仕組みである。即ち５ｃｍの水位差であると、高水位側から低水位側へ０．００５ｋｇｆ／ｃｍ２の圧力で押す形となる。そのスピードは、極めて遅い。表面水の流入方式である本システムでは、水位バランスがくずれて水位差がついた瞬間に表面吸込バランス金物から流れ込み、２浴槽の例で述べると、高水位側から低水位側へヘッダーを介していち早く流れを生じる。ヘッダーから吸込管へ接続がなされていない状態でも表面水の連通管とも言えるこの方式でレベルは保たれる。常時瞬敏にレベルを保つ事ができるようにするには、太い配管と勾配が必要である。
【００１１】  垢の浮いた表面水を濾過するために表面吸込用の金物を設置することは以前から行なわれていた。但し、ポンプで吸うとすぐにエアーを絡んでしまうため、バルブを絞って少量しか吸わないように調節されていた。オーバー回収が一般的となってからは、余り使用されなくなっている。
【００１２】  本発明による表面吸込バランス金物の設置により表面水のバランスがとれる事は述べたが、表面水が集められたヘッダーから濾過ポンプの吸込側へ接続されたバルブを開けると、強制的に吸う力が生じ、先の表面水配管を流れるスピードと流量が増大することから、配管径を小さくする事ができる。
【００１３】  例えば浴槽を２Ｆ、濾過装置のある機械室を１Ｆとした場合では、ポンプの吸込揚程（通常４〜５ｍ）と、浴槽水表面とヘッダーと吸込配管接続口を設ける機械室との背圧（階高で４〜５ｍ）がバランスしている。従って吸込配管の運転圧力が０ｋｇｆ／ｃｍ２前後となるのである。吸込配管に接続される配管のバルブを少し絞る事によって吸込管側では負圧を生じ、表面水のヘッダー側では正圧を生じる。
【００１４】  次に表面吸込バランス金物で高水位側は問題ないのであるが、低水位側の金物に吸い込む力が加わった場合に、エアーを吸う事が当然予測される。  本発明の表面吸込バランス金物は、エアーを吸わない仕組みとなっているのが特徴で、吸込開口部の下部に縦方向にスリット又はオリフィス状の流入部を持ち、水表面が開口部レベルを切っても水中レベルの縦型スリット又はオリフィスからの流入水により、一定の流入量を確保できるものとなっている。
【００１５】  高水位側の流入水と低水位側の流入水の表面水ヘッダー部での水の動きは、ポンプの吸込揚程をバルブで抑えている状況では、高水位側の流入水がヘッダーを介し低水位側へ流入することとなり、ヘッダー吐出部ではほぼ一定の水量となる。逆の水位となったときは反対側に流入し、ほぼバランスしたときと同程度の一定水量が吸込配管へ注がれて表層水循環水となるのである。このことにより、２浴槽の水位バランスを保ちながら表面水を循環させるシステムが構築される。
【００１６】  本発明の変化例として、表面吸込バランス金物を例えば１ｍ以上の横長のグレーチング状の金物や開口部とする事も可能である。躯体を利用する方式では、従来のオーバー回収手法で概ね壁側に設置されたオーバー回収溝を利用し、集水ドレイン口から下の縦配管に横タッピングを設け、例えば水深の半分程度の所に流量調整金物（菊座金物−プールの吐出口に利用される金物等）によるオリフィス型の流入口から流入させる方法によって同様の原理で同じ効果を出す事ができる。
【００１７】  濾過を重視する方法においては、表面水を多く循環させる事が望ましく、平均に表面水を吸込む方法として例えば高さが２００ｍｍ、横が１０００〜１５００ｍｍ程度の横長の箱を設置し、上部に開口部と下部にスリット又はオリフィス部を備え、表面をグレーチングでカバーした形のものを設置する。オーバー流入口は幅広の形が良く、平均に汚れを流す事ができるからである。複数設置したときは、縦配管をまとめて１本〜数本として良い。横長の金物の縦長を短くしたいときは、前項の躯体を利用する方式のように躯体壁面（水中）に流量調整金物を設置し、縦配管のオリフィスとして最少流入量を確保する事も可能である。
【００１８】  次にこの表面吸込バランス金物からの流入水を集めたラインの接続先について、この表面水を独自にバランスさせる為に、本来の下部吸込みラインを集めたヘッダーより下方に単独で接続させるようにしている。各系統のラインへ戻してしまうと相互のアンバランスが解消しないからである。即ち、まちまちの表面水量をまとめて（水位が高い系統は流水量が増えるのであるが）別系統で循環ラインへ一括して戻すことで、徐々に水位バランスが取れる仕組みとなっている。
【００１９】  次に浴槽では多人数が入浴し、出た瞬間、急激に水位が低下する状況が多く発生するために、瞬敏に水量をバランスさせる必要がある。  本発明では、循環の各浴槽からの底部吸込み配管の集合する手前、即ち各枝配管に開閉用の電動二方弁とそのバイパス回路を各々持ち、バイパス流量を概ね１／２と調節したシステムを持っている。即ち水位が急激に低下したと水位計で検知された浴槽系統の濾過吸込ラインの電動二方弁が閉まり、そのバイパス管により概ね１／２の流量に抑えられる。このことによって、浴槽への吐出量は変わらないまま、吸込量を約半分に減らし、急速に水位を上昇させることを可能にしている。
【００２０】  表面吸込バランス金物の形状は、目的と用途により選択できるものとする。標準的な形状はＴ字型の横バーの部分が広い開口部となっており、縦バーが細くスリット状になっているものであり、流入量の大小をはっきりと区別したいバランス調整重視の形状である。流入量を多く設定したい時はベースボール型、即ち下部がＶ字の堰としている。バランスを考慮しなくて良い場合は大きな四角の全幅堰とする。躯体で開口部分を造作するときや上部の開口部の下側のスリットを取りたくないケースは、下部をオリフィスとする。具体的には細い流入口を開口部の下の縦配管等に設け、流量を調節できるようにする事も可能である。  また、開口部のレベル調整の為に開口部分を開けた平面板の高さを上下にスライドさせたり、縦のスリット幅を変えられるようにしたバリエーションを持つものとする。
【００２１】  本発明は、多浴槽のバランスをとると共に、オーバー循環システムに代わる表面水循環システムで、効果的な濾過循環システムを構築したものであるが、同時に濾過循環システムの概念を変えた新しい濾過方式をなしているものである。  通常の濾過方式は、掛け流し理論と同様に、濾過した清水を浴槽（又は水槽）に注ぎ込んで汚れ（濁り）を薄めてゆく手法で、温度分布を良くする為に、内部を良くかきまぜる方式となっている。究極の濾過理論は、ゆっくりと上手から下手へ濾過水を限りなく均一に流すと１ターンで濾過が終了するものである。風呂の温度均一化の為にかきまぜており、濾過の効率とは相反関係をなす。
【００２２】  本発明の濾過方式は、厚生労働省の指導方針に乗っとって、尚最新の濾過手法を開発したものである。厚生労働省は、浴槽の下部や四隅に汚れが溜まり易く、滞溜を防ぐ主旨から、浴槽下部の側面から濾過水を吐出させるように指導している。また、オーバー回収利用方式は衛生的な観点から避ける事が望ましいとしている。即ち、下部から吐出した濾過水が通常のように下部のみで（オーバー禁止）吸込まれる事はショートカットして全体に対流しない事を意味する。オーバー水回収は汚れ易い事は確かであるが、それだけ表面水に汚れが集中しているという事に他ならない。
【００２３】  本発明では表面水循環方式によって、オーバーフロー回収方式と同様に効率的に浮いた垢や髪の毛等を回収し、衛生的な問題となっているオーバーフロー回収タンクを設置することなしに濾過システムを構築し、尚連通管もなくして水位バランスを同時に取る事のできるシステムとしている。加えて、濾過水の流れをかきまざり濾過とせず、一般的には壁側の浴槽下部から吐出した流れの一部は入口側対面に当たって、壁側上方背面の表面水吸込器具へとゆっくり流れる対流を生じさせる。沈む汚れと共栓への水勾配から浴槽手前の左右又はいずれか一方に共栓と吸込金物を設置し、底部の対応としている。
【００２４】  主要な点は、前述のゆっくりした後ろへ廻り込む対流が、温度分布の方向性（即ち温かい水は上昇しようとする）と合っている事であり、濾過の方向である事にある。通常は、濾過の流れ方向とは別に、加温時には温められた水は上昇しようとする為に、温度分布が引き起こす乱流が濾過を妨げる。本濾過システムの特長は、濾過と温度分布の方向性を合わせて、ゆったりとした対流の中で一定に濾過する最も効率の良い濾過方式を構成し、これを対流濾過方式・コンベクションシステムとして、一般のかきまざり成り行き濾過と一線を画する事となった点にある。
【００２５】  前述の表面水循環配管は、水位を低くした過酸化水素等の薬品洗浄時に循環しない。これは現在のオーバーフロー回収管も同様である。水位を低く約１／３程度で循環する理由は薬品代を節約する為と底部吸込の循環に支障のないぎりぎりの水深であるからである。（水深が概ね１００以下となると底部吸込は渦を巻いてエアーを吸ってしまう）  本システムではこの表面水循環配管に、濾過ポンプ吐出配管の分岐を取り入れ、少量の浴槽水で循環させたときには、バルブを開けて洗浄水を表面水循環配管及び表面吸込バランス金物から吐出させることで殺菌洗浄可能としてあり、この問題を克服している。
【００２６】  当該表面水循環器具等の材質については、一般的なＳＵＳ製や耐食性を持つプラスチック、ＦＲＰ製の他、チタンで加工した金物等を使用する。表面を酸化したチタンは光触媒効果を生み、発生する微細な活性酸素が汚れを剥離し、抗菌効果を持つ事が知られている。  最も汚れが多い表面水の金物に酸化チタンを使用すると、効果的にバイオフィルム等の繁殖を抑える事ができる。水深はその時々で変化しているのであり、浴槽の水際と同様に金物の喫水面にも汚れの帯がつき、殺菌剤が常時触れることがない為に、バイオフィルム形成の原因となるからである。
【００２７】  この表面吸込バランス金物の内部に、流入する水が縦管に旨く呑み込まれるようにする目的と渦を消す為に、直径８〜１０ｍｍ前後の棒が斜めに差し込まれた構造となっている。醤油をはしに伝わらせて容器にいれ易くする方法と同じで、このことにより呑み込まれる時に生じるゴボゴボした音を緩和できる構造となっている。
【００２８】  連通管の問題は、本コンベクションシステムによって解消するが、通常連通管等に取り付けられる水位計配管についても衛生上、同様の事が問題視されている。水位計配管も所謂連通管の原理であり、殆んど水は動かず、バクテリア等の温床となるからに他ならない。本発明に付属するシステムとして、浴槽に直に取り付けるタイプの温度水位計を考案した。
【００２９】  温度計のタイプは、アナログ式とデジタル式があり、直に浴槽や配管にセンサーを垂らす方式と、循環ラインにｐｔ１００Ωの温度センサーを取り付けて温度を計測する方式に分かれる。実は温度表示がデジタル式で吸込配管にセンサーを取り付けたものは、浴槽底部の温度を計測しており、低く表示してしまう等の問題点があり、浴槽に直に取り付ける型のものが見直されている現実がある。しかも温度計は全て浴槽に設置が義務付けられている。
【００３０】  本発明では、いずれも露出で浴槽に設置しなくてはならない、温度計と水位計を一体化した。温度センサーを伸ばす保護の為のケーシング管を水位計ケーシングと合体させた点に特徴がある。水位計は本システムの吸込流量調整弁の開閉の制御を含めて６極を標準としている。（市販品は５極まで）  アクリル管の内部周囲に電極を配置し、中心部の細いアクリル管の内部に隔側式のアナログ式の温度計センサー部が格納されて先端の感温部だけが露出する形となっており、周囲の電極棒に触れない構造となっている。
【００３１】  このアナログ式温度水位計の設置方法については、後付けの露出型では専用バンドで取り付けるかＳＵＳ製のカバーで隠して取り付ける形となる。新築時には例えば浴槽の角を三角コーナーとしてタイルで覆い、水中中程に感温部が露出する穴を開け、上部はこの温度水位計が差し込める構造としたものとする。又はオーバー回収溝の端の四角いスペースを加工して浴槽側を目皿付の金物又は開口部とし、上部は同様に本体に差し込める構造とする。
【発明を実施するための最良の形態】
【００３２】  以下、本発明の実施の形態について説明する。  表面吸込バランス金物を使用した対流濾過方式（コンベクションシステム）で２浴槽を１台の濾過装置で処理する場合の基本フローシートを図１に示す。【００３３】  浴槽３と浴槽１０に表面吸込バランス金物を１と１２のように水表面近くに取付け、表面水吸込循環ライン４，１９を濾過装置１８の吸込側ヘッダー１４と濾過ポンプ１７との間である１５の位置に接続する。このとき４及び１９は１／１００程度の勾配を持つことが望ましい。濾過吐出口は２及び１１のように側面下部に取り付けられるが、吐出した濾過水は対面に当って６，９のようにせり上がって背面の表面吸込バランス金物１，１２に吸込まれる。この対流が温度分布を良くして、濾過効率をアップする。２０の位置にある濾過吸込口は、通常水勾配がついて一番低い共栓の近くに設置されるが、底部に沈んだゴミを吸入するのに欠かせないポジションである。【００３４】  吸込側ヘッダー１４に接続される浴槽Ａ、Ｂの吸込配管は７、８の底部吸込制御弁Ａと底部吸込制御弁Ｂの本管とそのバイパスで構成される。  急激な浴槽Ａと浴槽Ｂの水位アンバランスが生じ、例えば浴槽Ａのアナログ温度水位計５で減水が検知されたとき、対応する底部吸込制御弁Ａである７の電動弁が閉まり、吸込量をバイパスの流量（ほぼ半分に設定）に抑えて、浴槽Ａの水位を急速に回復しようとする。吐出量は変わらないので吸込量を減らすと水位が上昇する仕組みである。これによって急速に水位バランスは回復される。浴槽Ａ、浴槽Ｂ共に水位が低下した時は２１，２２の補給水弁により自動的に湯が補給される仕組みとなっている。【００３５】  表面吸込バランス金物について、その基本原理を図２〜図３において示す。図２は単管を水表面近くに設置して吸込もうとした例で、Ａは水深が浅いとき（概ね１００ｍｍ以下）に吸込管に渦巻きが生じ、殆んど流れにくくなる現象を示している。Ｂは水位が単管の上部開口部を切ったときに、吸込管にエアーが混入する状況を示している。  即ち、表面を吸込む金物を取り付けようとするとき、通常の金物ではすぐに渦巻きが発生し、水位が波打って下がった瞬間にエアーが一気に混入して循環しなくなるのである。【００３６】  図３はスリットを備えた本発明の表面吸込バランス金物の基本図である。Ａは水表面が単管開口部のすぐ上に位置しているときで、１の外観図及び２の断面図に示すようにスリット部が堰となって一定の流入水が常時発生する為、エアーを吸って循環しなくなる事がない。【００３７】  図３のＢは水深が単管の上部開口部を切っているときを示しているが、スリットの部分だけで堰から流れ込む水量により、一定の流量を確保できる状況を示している。このスリットから流れ込む水量は、用途に応じて必要量を確保できるものとする。具体的にはスリット幅と水深で流れ込む流量が決定する。表面にグレーチングを取り付け、流れ方向を誘導する為の６０°水路を作ると開水路を流れる流量計算となる。実際には四角堰を流れる流量計算に近くなるのであるが、カバーの抵抗等を考慮し、ここでは流量が少な目を表示する「開水路を流れる流量計算」を採用し、次のように示される。【００３８】  表１は、スリットを流��込む流量である。スリットにかぶった水深は全て１００ｍｍ、６０°の誘導路を流れる水量で、粗度係数は０．０１５とした。【００３９】
【表１】
2005329381.tif 000003
スリットを流れる水量は、必要量に応じて選択される。Ｔ字型の上部開口部は同条件で、幅１５０ｍｍで深さ５０ｍｍのとき７９０Ｌ／ｍｉｎであるから、８０Ａ程度までの配管は満水で流れる。
【００４０】  この表面吸込バランス金物の開口部は横向きとなっている。図４のＡで示すように吸込み方向が横であると渦は発生しない。ＢはＡのエルボをデフォルメした形で、本発明の表面吸込バランス金物はＴ字流入堰となっており、Ｃ図で表される。水深が双方共に開口部を上回っているときは開口面積全体で満水吸込み口となる。【００４１】  図５に標準的なＴ字型開口部を持つ表面吸込バランス金物を示した。１が本体で指詰めを防止する為、２のグレーチング・カバーが取り付けてあり、隙間は６ｍｍ、子供の指が入らない寸法である。【００４２】  変化例として図６に、ワイド型表面バランス金物を示した。同様に１が本体で２がグレーチング・カバーである。【００４３】  表面吸込バランス金物を使用せずに、躯体のオーバー回収溝を利用した表面水吸込システムの例を図７のＡに示した。オーバーして流入した水流は溝底のドレイン金物１、２から回収される。このとき、スリットの役目を果たすのは３の菊座流量調整金物である。この菊座金物は羽根をスライドさせる事によって流量調整が可能となっている。  ３の金物から４の表面水吸込本管に流入する水量はオリフィスから流出する水量となっているが、一定量の循環水量を確保する為には充分な量が流れ込む。【００４４】  図７のＢに躯体を利用した場合の変化例を示した。水深がオーバー回収溝の流入高さを切っても、２のエアー防止スリットから流入する。流入した水は同様に回収溝底部の１のドレイン金物を経由して、表面水吸込本管４に流れ込む構造としている。【００４５】  図１で、浴槽Ａ、浴槽Ｂの水位バランスが著しくくずれたときは、図１の７又は８の底部吸込制御弁が動作するが、図８において水位計６Ｐの電極の配置を示す。１の水位計のうち、４はアース、５は空転防止、６はバランス電動弁ＯＮ、７はバランス電動弁ＯＦＦ、８は補給水ＯＮ、９は補給水ＯＦＦとなっている。２の框上部は水位設定面（９の水位）より５０ｍｍ程度上がっている事が望ましい。入浴者が多いときにこぼれる水量を減らす為である。また３の表面水吸込バランス金物は、開口部上面が８の補給水ＯＮの位置にセットする。常時開口部を水没させる為で、バランスがくずれたときに瞬敏に反応させる為である。【００４６】  次に表面吸込バランス金物から流れ出た水量が図１において表面水集合配管１３に合流するが、このときにＡ、Ｂの表面水のアンバランスがおのずと調整される仕組みを述べる。図９において、浴槽Ａは水量が少なく浴槽Ｂは多くなっている。３及び４で吸込まれた水量は、浴槽Ａ側が流量が少ないスリット流入水１で、浴槽Ｂ側が流量大の表面水流２である。表面水吸込ヘッダーＣにおいて浴槽Ｂ側から浴槽Ａ側へ６のように流れ込み現象がおきる。  図１０は図９の逆パターンで水量バランスが逆転した場合であるが、同様に浴槽Ａから浴槽Ｂへの流れ込み現象６がおきる。  いずれの場合も５から吐出される水量はほぼ同じとなる。これは図１の１５の手前の調整バルブで流量を抑えられている為に起きる現象である。即ち５の水量は双方がバランスしたときも含めて常にほぼ同水量しか吸われない構造となっているのである。即ち図９の２の大水量が流れようとしても、図１の１５の手前で流出量は抑えられ���いる為に反対側の浴槽Ａの配管側である図９の１の方向に流れ込んでバランスするのである。【００４７】  図１において吐出及び吸込管の分岐部には流量計を設置し、初期に流量調整を行なうと、システムが正確に作動する。例えば片方浴槽Ａだけが吐出と吸込が共に多くてもバランスしてくるため、平均的な濾過の為には調整が不可欠である。【００４８】  図１の１６の配管、表面水配管洗浄用配管は水位を落とした薬品洗浄の際に使用するものである。濾過ポンプ１７から濾過タンクへ行く配管のバルブａを絞ってバルブｂを開け、１３の表面水集合配管のバルブｃを締めバルブｄを開けると、洗浄水が１３の表面水集合配管を逆流して１と１２の表面吸込バランス金物から吐出され、クリーニングされる仕組みとなっている。【００４９】  浴槽に設置されるアナログ式温度計と水位計のケーシングを共用した、アナログ式温度水位計の全体図を図１１に示す。  全体に透明アクリル管で構成されており、図８の１に示した６Ｐの電極座を１のようにを収容している。アナログ式温度計２は、７のアクリル透明管の中心部にある、アナログ温度計保護管カバー６の中に収容され、温度計センサー部が電極に触れないように加工されている。５の感温部が露出するように設計され、流水に触れ易い構造となっている。通常は３のアクリルキャップがかぶせられており、電極部の接続などの際に取り外せるようになっている。
【発明の効果】
【００５０】  本発明の効果は、大別して次の５点である。  イ）  連通管と水位計配管、所謂死水配管をなくして、表面水の水位バランスシステムを構築した。  ロ）  オーバー回収をせずに複数の浴槽（水槽）のバランスを保つ事ができるようになった。  ハ）  オーバー回収タンクを設置せずに、汚れがちな表面水を濾過させるシステムを構築した。  ニ）  対流濾過方式という効率的な濾過循環システムを構築した。  ホ）  全体として、温泉施設の衛生管理が容易となった。
【００５１】  イ）  複数の浴槽を１系統の濾過装置で処理するときに必要であった連通管をなくし、表面水で全体の水位バランスが容易にとれるようになった。連通管には多くのバイオフィルム、バクテリア、アメーバ等が検出される。清掃も難しいことから、危険性が認識されている。
【００５２】  ロ）  連通管の使用の有無を問わず、オーバー循環系統に多くの循環水を流せば、水位や循環のアンバランスをカバーすることができる。しかし乍ら厚生労働省の指導で、オーバー水の再利用は難しくなり、東京都の条例においては原則的に禁止となった。本発明はこのアンバランスを解消するシステムを提供する。
【００５３】  ハ）  オーバー回収のもう１つの利点は、表面に浮いた垢や汚れを沈む前にいち早く流して濾過する事にある。本システムでは表面吸込バランス金物によって同様の効果を発揮する。
【００５４】  ニ）  同じく厚生労働省の指導で濾過水は壁側の下部から吐出させることとなっているため、本システムはこの指導に準じ考案された。吐出水を対面へぶつけて背面上部の表面吸込バランス金物で吸い込む、ゆったりとした上方対流を作り出し、濾過を効率的に行なう事が可能となり、少ない濾過ターン数で同様の効果が得られる事ができるようになった。
【００５５】  ホ）  連通管や水位計配管をなくして、全ての配管を循環可能とした。即ち、容易に薬品洗浄等によりクリーニングが可能となった。また、本発明により、清掃が困難であったオーバー回収槽をなくして、同様の濾過効率を持つ事ができる事から、全体として衛生管理がしやすいシステムとなった。
【図面の簡単な説明】
【００５６】
【図１】本発明の実施形態で、温浴システムの２浴槽１濾過方式の基本的なフローシートである。
【符号の説明】
１．  表面吸込バランス金物  ２．  濾過吐出口  ３．  浴槽Ａ  ４．  表面水循環ライン  ５．  アナログ式温度水位計  ６．  対流方向  ７．  底部吸込制御弁Ａ  ８．  底部吸込制御弁Ａ  ９．  対流方向１０．  浴槽Ｂ１１．  濾過吐出口１２．  表面吸込バランス金物１３．  表面水集合配管１４．  底部吸込ヘッダー１５．  表面水接続口１６．  表面水配管洗浄用配管１７．  濾過ポンプ１８．  濾過装置１９．  表面水吸込循環ライン２０．  濾過吸込口２１．  補給水弁Ａ２２．  補給水弁Ｂ  ａ．  濾過タンク側バルブ  ｂ．  表面水配管洗浄用バルブ  ｃ．  表面水配管注入バルブ  ｄ．  表面水配管接続バルブ
【００５７】
【図２】
本発明の実施形態で、表面水吸込管のモデル図である。
【符号の説明】
Ａ．  水深が浅いときの吸込管の渦巻き  Ｂ．  水深が開口部を切ったときの吸込管のエアーストール
【００５８】
【図３】
本発明の実施形態で、表面吸込バランス金物にスリットをつけた時のモデル図である。
【符号の説明】
Ａ．  水深が浅いときのスリット流入状況図  Ｂ．  水深が開口部を切ったときのスリット流入状況図
【００５９】
【図４】
本発明の実施形態で、表面吸込バランス金物の開口部モデル図である。
【符号の説明】
Ａ．  横向きの吸込口（エルボ）  Ｂ．  エルボのデフォルメ  Ｃ．  Ｔ字流入堰
【００６０】
【図５】
本発明の実施形態で、表面吸込バランス金物の基本形状を示した図である。
【符号の説明】
１．  標準的なＴ字型表面吸込バランス金物本体  ２．  カバー・グレーチング（目皿）
【００６１】
【図６】
本発明の実施形態で、ワイド型の表面吸込バランス金物の参考図である。
【符号の説明】
１．  ワイド型表面吸込バランス金物本体  ２．  カバー・グレーチング（目皿）
【００６２】
【図７】
本発明の実施形態で、表面吸込バランス金物の仕組みを浴槽躯体にて実施した例である。
【符号の説明】
Ａ．  躯体のオーバー回収溝を利用した表面水吸込システム図  Ｂ．  躯体を利用した、エアー防止スリットとその実施例  １．  オーバー水（表面水）ドレイン金物  ２．  オーバー水（表面水）ドレイン金物  ３．  菊座流量調整金物  ４．  表面水吸込本管
【００６３】
【図８】
本発明の実施形態で、水位計の各電極と框、表面吸込バランス金物の高さ関係を示した図である。
【符号の説明】
１．  水位計（６Ｐ）  ２．  框上部  ３．  表面吸込バランス金物  ４．  アース  ５．  空転防止  ６．  Ｌ４、バランスＯＮ  ７．  Ｌ３、バランスＯＦＦ  ８．  Ｌ２、補給水ＯＮ  ９．  Ｌ１、補給水ＯＦＦ
【００６４】
【図９】
本発明の実施形態で、表面吸込バランス金物からの表面水の流れを示した図である。
【符号の説明】
１．  流量小のスリット流入水  ２．  流量大の表面水流  ３．  表面吸込バランス金物  ４．  表面吸込バランス金物  ５．  表面水ヘッダー吐出口  ６．  流れ込み現象  Ａ．  浴槽Ａ  Ｂ．  浴槽Ｂ  Ｃ．  表面水吸込ヘッダー
【００６５】
【図１０】
本発明の実施形態で、表面吸込バランス金物からの表面水の流れを示した図で、図９の逆のアンバランス状況を示した図である。
【符号の説明】
１．  流量大の表面水流  ２．  流量小のスリット流入水  ３．  表面吸込バランス金物  ４．  表面吸込バランス金物  ５．  表面水ヘッダー吐出口  ６．  流れ込み現象  Ａ．  浴槽Ａ  Ｂ．  浴槽Ｂ  Ｃ．  表面水吸込ヘッダー
【００６６】
【図１１】
本発明の実施形態で、アナログ温度水位計を示した図である。
【符号の説明】
１．  ６Ｐ電極座  ２．  アナログ温度計  ３．  アクリルキャップ  ４．  アナログ式温度水位計全体図（立面、側面図）  ５．  隔測温度計感温部  ６．  アナログ温度計保護管カバー  ７．  アクリル透明管
【図１】
2005329381.tif 000004
【図２】
2005329381.tif 000005
【図３】
2005329381.tif 000006
【図４】
2005329381.tif 000007
【図５】
2005329381.tif 000008
【図６】
2005329381.tif 000009
【図７】
2005329381.tif 000010
【図８】
2005329381.tif 000011
【図９】
2005329381.tif 000012
【図１０】
2005329381.tif 000013
【図１１】
2005329381.tif 000014